(57)【特許請求の範囲】
【請求項１】
複数個の移動局と、当該複数個の移動局との無線通信を介して当該複数個の移動局の監視を行う管制局とを有し、監視すべき前記複数個の移動局にあらかじめ識別可能な識別情報を割り当て、当該識別情報に関連させて、前記複数個の移動局の位置を示す位置情報と、各移動局を特定するための固定情報と、各移動局を表示装置上で表示するための表示情報とを含む移動局監視情報を記録保持し、前記移動局から送信された位置を示す情報に基づいて当該移動局の前記位置情報を更新する移動局情報記録保持手段を備えた移動局監視システムのための監視連携装置であって、
当該移動局監視システムにおいて、当該移動局監視システムとは独立して監視動作を行っている他の移動局監視システムから、当該他の移動局監視システムにより監視されている外部移動局の監視に必要な移動局監視情報が提供されたときに、当該移動局監視システム内で使用可能な未使用の識別情報を検索し、当該未使用の識別情報を前記外部移動局に割り当てることで前記外部移動局を登録する識別情報割り当て手段と、前記外部移動局に割り当てられた前記識別情報に関連させて、登録された前記外部移動局の監視に必要な前記移動局監視情報を、当該移動局監視システムの前記移動局情報記録保持手段に記録保持させる外部移動局監視情報記録保持手段とを備え、
前記外部移動局監視情報記録保持手段への前記移動局監視情の記録保持により更新される位置情報が最終更新時間から所定時間が経過した外部移動局に割り当てられている前記識別情報を他の外部移動局に開放する手段を有することを特徴とする監視連携装置。
【請求項２】
前記識別情報割り当て手段は、当該他の移動局監視システムから提供された前記移動局監視情報に対応する前記外部移動局が既に登録されているかどうかを調べ、すでに登録されている場合は、新たな未使用の識別情報を検索せず、前記外部移動局監視情報記録保持手段により、当該外部移動局にすでに割り当てられている前記識別情報に関連させて、当該移動局監視情報を前記移動局情報記録保持手段に逐次記録保持させることを特徴とする請求項１記載の監視連携装置。
【請求項３】
前記移動局監視システム内で監視される前記複数個の移動局の位置情報は、ＧＰＳ測位に基づいて得られることを特徴とする請求項１又は２に記載の監視連携装置。
【請求項４】
前記他の移動局監視システムから提供された前記移動局監視情報に含まれる前記位置情報がＧＰＳ測位に基づいていない場合は、ＧＰＳ測位に基づく位置情報に座標変換する変換アルゴリズムをさらに内蔵したことを特徴とする請求項３記載の監視連携装置。
【請求項５】
前記移動局情報記録保持手段は、前記位置情報を記録保持する位置情報データベースと、前記固定情報を記録保持する固定情報データベースと、前記表示情報を記録保持する表示情報データベースとを備えることを特徴とする請求項１記載の監視連携装置。
【請求項６】
前記複数個の移動局および前記外部移動局の各移動局に割り当てられた前記識別情報に基づいて、前記位置情報データベースと、前記固定情報データベースと、前記表示情報データベースとにアクセスして、当該各移動局の前記位置情報と、前記固定情報と、前記表示情報とを取得し、表示画面上に電子地図データとともに表示する表示装置をさらに備えたことを特徴とする請求項５記載の監視連携装置。
【請求項７】
前記位置情報は時間情報をさらに含んでおり、前記他の移動局監視システムが使用する前記時間情報が、前記移動局監視システムが使用する前記時間情報と異なる場合、前記移動局監視システムが使用する前記時間情報に一致するように、前記他の移動局監視システムが使用する前記時間情報に同期処理を行う手段をさらに有することを特徴とする請求項１記載の監視連携装置。
【請求項８】
前記移動局監視システムおよび前記他の移動局監視システム間での前記移動局監視情報の提供が、ＬＡＮを介して行われることを特徴とする請求項１記載の監視連携装置。
【請求項９】
複数個の移動局と、当該複数個の移動局との無線通信を介して当該複数個の移動局の監視を行う管制局とを有し、監視すべき前記複数個の移動局にあらかじめ識別可能な識別情報を割り当て、当該識別情報に関連させて、前記複数個の移動局の位置を示す位置情報と、各移動局を特定するための固定情報と、各移動局を表示装置上で表示するための表示情報とを含む移動局監視情報を記録保持し、前記移動局から送信された位置を示す情報に基づいて当該移動局の前記位置情報を更新する移動局情報記録保持手段を備えた移動局監視システムのための監視連携方法であって、
当該移動局監視システムにおいて、当該移動局監視システムとは独立して監視動作を行っている他の移動局監視システムから、当該他の移動局監視システムにより監視されている外部移動局の監視に必要な移動局監視情報が提供されたときに、当該移動局監視システム内で使用可能な未使用の識別情報を検索し、当該未使用の識別情報を前記外部移動局に割り当てることで前記外部移動局を登録する識別情報割り当てステップと、前記外部移動局に割り当てられた前記識別情報に関連させて、登録された前記外部移動局の監視に必要な前記移動局監視情報を、当該移動局監視システムの前記移動局情報記録保持手段に記録保持させる外部移動局監視情報記録保持ステップと、前記外部移動局監視情報記録保持手段への前記移動局監視情の記録保持により更新される位置情報が最終更新時間から所定時間が経過した外部移動局に割り当てられている前記識別情報を他の外部移動局に開放するステップとからなることを特徴とする監視連携方法。
【請求項１０】
前記識別情報割り当てステップは、当該他の移動局監視システムから提供された前記移動局監視情報に対応する前記外部移動局が既に登録されているかどうかを調べ、すでに登録されている場合は、新たな未使用の識別情報を検索せず、前記外部移動局監視情報記録保持ステップにより、当該外部移動局にすでに割り当てられている前記識別情報に関連させて、当該移動局監視情報を前記移動局情報記録保持手段に逐次記録保持させることを特徴とする請求項９記載の監視連携方法。
【発明の詳細な説明】
【技術分野】
【０００１】
本発明は、無線ネットワークシステムとＧＰＳ測位技術を応用して、広域エリアで移動する移動機器、移動体等（以下、移動局と総称する）の位置を、各移動局に割り当てられた識別番号等の識別情報（以下、ＩＤと称する）に基づいて集中監視する移動局監視システムに対して、当該移動局監視システムとは独立して稼動する他の移動局監視システム（以下、外部移動局監視システムと称する）からの移動局情報を提供可能とするための監視提携装置および方法に関し、特に、当該移動局監視システム内であらかじめ識別情報を用いて登録されている移動局以外の移動局（以下、外部移動局と称する）を監視する外部移動局監視システムとの無線データリンクを可能とすることで、外部移動局監視システムにより監視されている外部移動局をも、当該移動局監視システム内で集中監視させるための、移動局監視システム間の監視連携を可能とした監視連携装置並びに方法に関する。
【背景技術】
【０００２】
基地局と、この基地局に無線で接続され、自局位置を測位するＧＰＳ等の測位手段を有する移動可能な複数個の移動局とを有し、当該基地局と各移動局の間で無線データ通信を行い、各移動局からの位置情報に基づいて基地局側で各移動局の監視を行う無線ネットワークシステムが知られている。
【０００３】
この種の無線ネットワークシステムにおいて、基地局と移動局との無線通信にポーリング方式を利用することで、通信時の干渉を避けるために移動局一台につき一つの通信用チャンネルを用意する必要がなく、一つの無線チャンネルで、複数個の移動局のＤＧＰＳ（ディファレンシャルＧＰＳ）測位による位置監視を可能とした無線ネットワークシステムが本出願人により提案されている（例えば、特許文献１参照）。
【０００４】
また、この様な無線ネットワークシステムにおいて、各移動局を監視する基地局の数と使用チャンネル数を増やし、さらに、これらの基地局と移動局とを包括的に管理する管制局や、複数個の管制局を包括的に管理する主管制局を設けることで、監視可能な移動局数を増やし、且つ、移動局の位置監視を行う監視エリアを拡張し、しかも、異なったチャンネル間での移動局情報（移動局の位置情報等）の共有を可能とした無線ネットワークシステムが本出願人により新たに提案されている（例えば、特許文献２参照）。
【特許文献１】特開平１１−３５５８５９号公報
【特許文献２】特開２００２−１５２８０６号公報
【発明の開示】
【発明が解決しようとする課題】
【０００５】
このような従来の無線ネットワークシステムにおいて、移動局を当該ネットワークシステム内で監視可能とするためには、システム専用の無線通信機を搭載し、あらかじめ各移動局にシステム内でユニークなＩＤを割り当てておき、監視対象となる移動局の移動局情報を、あらかじめ割り当てられたＩＤを用いて無線ネットワークシステム内のデータベースに登録する必要があった。この様な無線ネットワークシステムでは、システム時刻としてＧＰＳ測位におけるＵＴＣ時刻（協定世界時）が利用されていた。
【０００６】
このことは、上述のような移動局監視システム以外で他の何らかの移動局監視システム（外部移動局監視システム）があった場合でも、外部移動局監視システムにおける監視移動局を本移動局監視システムに事前に登録することが不可能であり、また、外部移動局監視システムがＧＰＳによる移動局の監視を行っているとは限らないため、移動局情報を本移動局監視システムに取り込むことができないということを示している。
【０００７】
そこで、本発明の目的は、上述した従来の無線ネットワークシステムが有する課題を解消し、互いに無関係に独立して稼動する各移動局監視システムにより監視されている移動局等の監視に必要な監視情報を、他の移動局監視システム内へ当該移動局等を監視可能に取り込ませることで、互いに独立して稼動する移動局監視システム間において移動局監視動作に対する連携を可能とした外部連携装置および方法を提供する。
【課題を解決するための手段】
【０００８】
以上の目的を達成するために、本発明は、複数個の移動局と、当該複数個の移動局との無線通信を介して当該複数個の移動局の監視を行う管制局とを有し、監視すべき前記複数個の移動局にあらかじめ識別可能な識別情報を割り当て、当該識別情報に関連させて、前記複数個の移動局の位置を示す位置情報と、各移動局を特定するための固定情報と、各移動局を表示装置上で表示するための表示情報とを含む移動局監視情報を記録保持し、前記移動局から送信された位置を示す情報に基づいて当該移動局の前記位置情報を更新する移動局情報記録保持手段を備えた移動局監視システムのための監視連携装置であって、当該移動局監視システムにおいて、当該移動局監視システムとは独立して監視動作を行っている他の移動局監視システムから、当該他の移動局監視システムにより監視されている外部移動局の監視に必要な移動局監視情報が提供されたときに、当該移動局監視システム内で使用可能な未使用の識別情報を検索し、当該未使用の識別情報を前記外部移動局に割り当てることで前記外部移動局を登録する識別情報割り当て手段と、前記外部移動局に割り当てられた前記識別情報に関連させて、登録された前記外部移動局の監視に必要な前記移動局監視情報を、当該移動局監視システムの前記移動局情報記録保持手段に記録保持させる外部移動局監視情報記録保持手段とを備え、前記外部移動局監視情報記録保持手段への前記移動局監視情の記録保持により更新される位置情報が最終更新時間から所定時間が経過した外部移動局に割り当てられている前記識別情報を他の外部移動局に開放する手段を有することを特徴とする。
【０００９】
また、上記発明において、本発明は、前記識別情報割り当て手段が、当該他の移動局監視システムから提供された前記移動局監視情報に対応する前記外部移動局が既に登録されているかどうかを調べ、すでに登録されている場合は、新たな未使用の識別情報を検索せず、前記外部移動局監視情報記録保持手段により、当該外部移動局にすでに割り当てられている前記識別情報に関連させて、当該移動局監視情報を前記移動局情報記録保持手段に逐次記録保持させることを特徴とする。
【００１１】
また、上記発明において、本発明は、前記移動局監視システム内で監視される前記複数個の移動局の位置情報が、ＧＰＳ測位に基づいて得られることを特徴とする。
【００１２】
また、上記発明において、本発明は、前記他の移動局監視システムから提供された前記移動局監視情報に含まれる前記位置情報がＧＰＳ測位に基づいていない場合は、ＧＰＳ測位に基づく位置情報に座標変換する変換アルゴリズムをさらに内蔵したことを特徴とする。
【００１５】
また、上記発明において、本発明は、前記移動局情報記録保持手段が、前記位置情報を記録保持する位置情報データベースと、前記固定情報を記録保持する固定情報データベースと、前記表示情報を記録保持する表示情報データベースとを備えることを特徴とする。
【００１６】
また、上記発明において、本発明は、前記複数個の移動局および前記外部移動局の各移動局に割り当てられた前記識別情報に基づいて、前記位置情報データベースと、前記固定情報データベースと、前記表示情報データベースとにアクセスして、当該各移動局の前記位置情報と、前記固定情報と、前記表示情報とを取得し、表示画面上に電子地図データとともに表示する表示装置をさらに備えたことを特徴とする。
【００１７】
また、上記発明において、本発明は、前記位置情報は時間情報をさらに含んでおり、前記他の移動局監視システムが使用する前記時間情報が、前記移動局監視システムが使用する前記時間情報と異なる場合、前記移動局監視システムが使用する前記時間情報に一致するように、前記他の移動局監視システムが使用する前記時間情報に同期処理を行う手段をさらに有することを特徴とする。
【００１８】
また、上記発明において、本発明は、前記移動局監視システムおよび前記他の移動局監視システム間での前記移動局監視情報の提供が、ＬＡＮを介して行われることを特徴とする。
【００１９】
また、以上の目的を達成するために、複数個の移動局と、当該複数個の移動局との無線通信を介して当該複数個の移動局の監視を行う管制局とを有し、監視すべき前記複数個の移動局にあらかじめ識別可能な識別情報を割り当て、当該識別情報に関連させて、前記複数個の移動局の位置を示す位置情報と、各移動局を特定するための固定情報と、各移動局を表示装置上で表示するための表示情報とを含む移動局監視情報を記録保持し、前記移動局から送信された位置を示す情報に基づいて当該移動局の前記位置情報を更新する移動局情報記録保持手段を備えた移動局監視システムのための監視連携方法であって、当該移動局監視システムにおいて、当該移動局監視システムとは独立して監視動作を行っている他の移動局監視システムから、当該他の移動局監視システムにより監視されている外部移動局の監視に必要な移動局監視情報が提供されたときに、当該移動局監視システム内で使用可能な未使用の識別情報を検索し、当該未使用の識別情報を前記外部移動局に割り当てることで前記外部移動局を登録する識別情報割り当てステップと、前記外部移動局に割り当てられた前記識別情報に関連させて、登録された前記外部移動局の監視に必要な前記移動局監視情報を、当該移動局監視システムの前記移動局情報記録保持手段に記録保持させる外部移動局監視情報記録保持ステップと、前記外部移動局監視情報記録保持手段への前記移動局監視情の記録保持により更新される位置情報が最終更新時間から所定時間が経過した外部移動局に割り当てられている前記識別情報を他の外部移動局に開放するステップとからなることを特徴とする。
【００２０】
また、上記発明において本発明は、前記識別情報割り当てステップは、当該他の移動局監視システムから提供された前記移動局監視情報に対応する前記外部移動局が既に登録されているかどうかを調べ、すでに登録されている場合は、新たな未使用の識別情報を検索せず、前記外部移動局監視情報記録保持ステップにより、当該外部移動局にすでに割り当てられている前記識別情報に関連させて、当該移動局監視情報を前記移動局情報記録保持手段に逐次記録保持させることを特徴とする。
【発明の効果】
【００２１】
本発明によれば、互いに無関係に独立して稼動する監視システム間において、他の監視システムにより監視されている外部移動局の監視を行いえる移動局監視情報（例えば、情報認識ＩＤ、測位座標（緯度、経度等）、移動局識別名等のデータ）の取り込みを可能とし、他の監視システムの監視下にある移動局の監視をも可能とした。従って、各移動局監視システムを変更することなく、無関係に独立して稼働する他の移動局監視システムが監視する移動局をデータベース上に統合させ、同一システムとして監視することができる。
【発明を実施するための最良の形態】
【００２２】
以下、本発明の一実施態様を添付した図面を参照して説明する。
図１は、本実施態様が適用される移動局監視システムの一例を示した概念図である。なお、本実施態様で説明される移動局及び外部移動局とは、移動可能な移動機器、車両、航空機等の移動体等に対する総称であり、特に限定されるものではない。また、監視可能な情報が外部監視システムから提供される場合、この監視可能な情報とは、当該外部監視システムにより監視されている外部移動局を、本移動局監視システムにおいて監視するのに必要な情報を意味する。
【００２３】
図１は、二つの互いに無関係に独立して稼動する異なる移動局監視システム（ＳＹ１，ＳＹ２）間で、各々のシステムが監視すべき移動局の監視動作を互いに連携可能とする外部連携装置が組み込まれた状態を示したものである。
本実施態様の適応される移動局監視システムとしては、例えば、複数の移動局５と、無線通信を介して当該移動局５の監視を行う基地局１，２，３と、基地局１，２，３との有線通信により移動局や基地局を統括的に管理する管制局（制御装置）４とから構成される移動局監視システムＳＹ１（例えば、特開平１１−３５５８５９号公報、又は、特開２００２−１５２８０６号公報で開示される移動局監視システム）や、レーダー装置１２などを使って複数個の航空機１１を監視する管制局１４を備えた航空機監視システムＳＹ２等が考えられる(図１）。
【００２４】
図１で、各々独立して無関係に稼動する移動局監視システムＳＹ１，ＳＹ２は、互いに異なる監視動作を行っており（識別情報等が異なる）、それらにより監視される移動局も異なっているため（利用される無線機等も異なる）、各移動局監視システムにおいて監視されている移動局（車両、航空機等）を、他の移動局監視システムが監視することはできない。しかしながら、本実施態様では、このように互いに無関係に独立して稼動する移動局監視システム間で、各監視システムが監視する移動局を他の監視システムにおいても監視を行うことができるようにするために、監視連携装置１３が新たに設けられている。このような監視連携装置は、各移動局監視システム内に組み込まれてもよく、あるいは、独立して設けられてもよい。何れにせよ、一方の監視システム（例えばＳＹ２）からの移動局監視情報が、監視連携装置１３を介して他方の監視システム（例えばＳＹ１）へ提供される構成であればよい。監視連携装置１３が移動局監視システムに組み込まれる場合、例えば、ＳＹ１の管制局４の制御装置自体に、ソフトウェアまたはハードウェアの形態で組み込む構成にしても良い。
【００２５】
以下の説明では、監視連携装置１３が移動局監視システムＳＹ１にのみ組み込まれて構成されているものとして説明する。また、移動局監視システムＳＹ１は、他の移動局監視システム(以下、外部移動局監視システムと称する）ＳＹ２からの移動局監視情報を監視連携装置１３を介して取り込むことで、外部移動局監視システムＳＹ２により監視される移動局（以下、外部移動局と称する）をも監視することができる。
なお、本実施態様では、特に、移動局監視システムＳＹ１により、外部移動局監視システムＳＹ２により監視されている移動局(航空機）１１の監視を行う場合について説明する。
【００２６】
さて、図１で示されているように、移動局監視システムＳＹ１，ＳＹ２は互いに有線ＬＡＮ（例えば、イーサネット（登録商標）（ＴＭ））を介して接続されている。この有線ＬＡＮを介して、外部移動局監視システムＳＹ２から移動局監視システムＳＹ１へ移動局監視情報が提供される。
移動局監視システムＳＹ１では、各基地局１，２，３には、各移動局５との無線通信を行うためのデータ通信装置（図示せず）が備えられており、あらかじめ位置の分かっているＧＰＳ基準局（図示せず）からの位置補正データが各基地局１，２，３のデータ通信装置へ送られてくる。位置補正データは、各基地局１，２，３から監視下にある各移動局５へ無線通信（例えば、ポーリング方式を利用した無線通信）を介して送信される。
【００２７】
一方、各移動局５は、各基地局１，２，３との無線通信を行うデータ通信装置（図示せず）と、ＧＰＳ測位を行うＧＰＳ受信装置（図示せず）とを備えており、各移動局を監視する基地局（管轄基地局）１，２，３から送信された位置補正データを用いてＧＰＳ受信装置により受信された位置情報を補正することでＤＧＰＳ測位を行い、結果としての補正座標データ（位置情報）を、管轄基地局１，２，３に向けて送信する。この位置情報を受信した基地局１，２，３は、受信した位置情報に基づいて監視下にある各移動局の位置情報データベースを作成するか、もしくは、管制局４へこれらの位置情報を直接送信して、管制局４にて各移動局５の位置情報データベースを作成する。各基地局１，２，３又は管制局４はこれらの位置データベースを随時更新しており、各移動局５の最新の移動局情報（位置情報等）が保存されている。
なお、無線通信は、単一のチャンネルもしくは複数のチャンネルを利用して行っても良い。また、管制局４等には、各移動局５等の情報を管理するデータベースと、これらの通信を制御する制御装置とが備えられている。
【００２８】
移動局監視システムSY1では、同システム下で監視すべき各移動局には、システムに内でユニークな識別情報（ＩＤ等）が予め割り当てられており、この識別情報に関連させて、移動局監視システム内の制御装置（例えば、管制局に設置）に備えられたデータベースに各移動局の移動局情報が記録、保存されている。
ここで、データベースに記録保存される移動局情報は、例えば、各移動局の位置（緯度、経度等）情報や測位時間情報等を含む移動局位置情報と、各移動局を特定するために必要な移動局固定情報（各移動局に対して固定した情報であって、例えば、所属するグループ、移動局のタイプ、無線データリンクを行うための無線機アドレス等）と、移動局を電子地図上で表示するために必要な移動局表示情報（車両番号、呼称、車種名、表示アイコン等）とから構成されている。これらの情報を記録するデータベースは、固定的に各移動局に割り当てられた、システム内でユニークなＩＤ(識別情報）によって検索可能である。
【００２９】
なお、移動局位置情報のうち、移動局固定情報並びに移動局表示情報は一度記録保存するだけでよいが（必要な時には自由に変更することができる）、移動局位置情報は、各移動局が移動することから逐次更新されている。すなわち、各移動局は、所定時間間隔でＤＧＰＳ測位を行い、得られた位置情報を基地局（又は管制局）へ送信する。各基地局(又は管制局）は、受信したこれらの位置情報を情報識別ＩＤに関連させてデータベースへ記録保存する。なお、これらの位置情報は、データベース内で測位時間によって降順にソートされている（最新のデータが最上になるように、情報を積み上げならが記録している）。
【００３０】
このように各データベース内へユニークなＩＤに関連させて記録保存された移動局情報は、当該情報識別ＩＤによって検索が可能となる。従って、このＩＤを用いて各移動局情報が検索され、これらの検索されたデータに基づいて全ての移動局の移動局情報を得ることができる。
なお、本実施態様では、データベースは各情報（位置情報、固定情報、表示情報）毎に個別に設けられており、各データベース内では、各移動局に割り当てられたＩＤに対応して各移動局の移動局情報が記録保存されているものとして説明する。しかしながら、全ての移動局情報を一括して記録保存したデータベースを設けてもよい。この場合も、各移動局の移動局情報は当該移動局に割り当てられた識別情報に対応して記録保存されている。
【００３１】
図２は、本実施態様の移動局監視システムで利用されるデータベース内に記録される移動局情報、特に移動局位置情報のデータ構造と、当該データベース内に記録された移動局情報を利用して、特定の移動局の位置情報の取得を希望する任意の端末（基地局、管制局等に備えられた端末や、各移動局に備えられた端末等）に備えられた表示装置に位置情報等を表示するまでの過程を示した図である。
【００３２】
図２で示されているように、本実施態様の移動局監視システムで利用されるデータベースは、各移動局の移動局位置情報をその識別情報に関連させて記録保存する位置情報データベース６と、各移動局の移動局固定情報をその識別情報に関連させて記録保存する固定情報データベース７と、各移動局の移動局表示情報をその識別情報に関連させて記録保存する表示情報データベース８とからなる。例えば移動局が車両である場合、固定情報データベース７に記録される固定情報には、当該車両の所属するグループ、当該車両のタイプ、無線データリンクを行うための当該車両の無線機アドレス等が含まれる。また、表示情報データベース８に記録される表示情報には、車両を電子地図上で表示するための車両番号、呼称、車種名、表示アイコン等が含まれる。これらの固定情報および表示情報は一度データベースに保存されれば、変更する必要がなければ、固定的に記録されることになる。
【００３３】
一方、位置情報データベース６には、移動局(車両）の位置（緯度、経度等）と測位時間の情報(位置情報）が記録されるが、これらの情報は、移動局自体が移動することから絶えず変動する情報であり、従って所定時間間隔で逐次データベースに最新の位置情報が各移動局からの書き込まれている。本実施態様では、位置情報データベース６に記録される位置情報は、測位時間に応じて降順にソータされており、データベース内のメモリ容量が超過した段階で、測位時間の古い順に消去される。
【００３４】
図２には、さらに、位置情報データベース６内の位置情報のデータ構造が示されている。図２に示されているように、各移動局から送信されてきた位置情報は、当該移動局に固有の（割り当てられた）ＩＤと、そのＤＧＰＳ測位が行われた測位時間ｔと、測位座標(緯度）、測位座標(経度）およびその他の情報がこの順番で配置された構成で、データベース６内に記録される
【００３５】
ここで、ある端末（移動局の位置表示を行う端末であり、例えば、管制局等に設置された端末であり、特に限定されない）が、データベース６，７，８に記録保存された移動局情報に基づいて各移動局の位置表示を行いたい場合、当該端末は、位置情報データベース６から時間ｔでソートされている移動局位置情報の最新位置データを取得し、それらのデータ内の各移動局固有のＩＤを用いて、当該移動局の移動局固定情報と移動局表示情報をデータベースから取得し、当該端末に備えている電子地図データから作成した電子地図上に移動局の位置を表示情報とともに表示する。
以上のことから、外部移動局監視システムＳＹ２で監視されている外部移動局１１の監視に必要な情報（移動局情報）を、移動局監視システムＳＹ１内へ取り入れるためには、外部移動局監視システムＳＹ２から、識別可能な外部固有のＩＤ（識別情報）、位置情報、位置情報の時間および移動局識別名の情報が必要となる。
【００３６】
前述したように、予め登録されている移動局５に対しては移動局監視システムＳＹ１内でユニークなＩＤがあらかじめ割り当てられている。従って、これらの各移動局５に対してはそられらの位置情報等を利用して電子地図上に表示することができる。しかしながら、登録されていない移動局、すなわち、外部移動局監視システムＳＹ２により監視されている外部移動局１１に対しては、新たに識別情報を割り当てて登録する必要がある。これは、外部移動局１１には、外部移動局監視システムＳＹ２内での監視を行うための固有の識別情報が割り当てられているが、これらの識別情報は移動局監視システムＳＹ１では識別不能な情報であり（ＳＹ１の識別情報と全く異なる情報である）、これらの情報を移動局監視システムＳＹ１にて識別可能な情報に変換する必要があるからである。
【００３７】
ここで、外部移動局監視システムＳＹ２からＬＡＮを介して送られてくる移動局監視情報には外部固有ＩＤが含まれている。上述したように、この外部固有ＩＤは移動局監視システムＳＹ１では何ら意味を持たない識別情報であり、このままでは当該識別情報に対応する外部移動局を監視することができない。従って、監視連携装置１３は、この外部固有ＩＤに対して、移動局監視システムＳＹ１内での監視を可能とする、移動局監視システムＳＹ１の空き（未使用）ＩＤ(識別情報）を割り振る機能を備えている。
【００３８】
例えば、外部移動局監視システムＳＹ２からＩＤ：１という移動局情報がＬＡＮを介して提供された場合、移動局監視システムＳＹ１では、外部連携装置１３を介して、ＩＤ：１という外部移動局１１に対して、移動局監視システムＳＹ１で管理可能なＩＤ：Ａという識別情報が割り当てられ、外部移動局１１が登録される。一度この登録が行われると、外部移動局監視システムＳＹ２からＩＤ：１の移動局情報を得た場合には、ＩＤ：Ａの移動局情報として当該外部移動局１１の監視を行う。
【００３９】
このとき、移動局監視システムＳＹ１内で割り振り可能なＩＤは有限であるので、外部移動局から同一のＩＤによるデータが一定時間無い場合は、移動局監視システム内で割り当てたＩＤを開放する。外部移動局監視システムＳＹ２からは定期的にその時点で監視している外部移動局１１の監視情報が提供されるか、または、定期的にこれらのデータの存在を確認しているので、これらの情報の有無を検出することで、識別情報（ＩＤ）の開放を判断することができる。
【００４０】
また、移動局監視システムＳＹ１の監視対象である移動局５はＧＰＳ測位可能な装置を搭載しており、そのため、本システム内ではＧＰＳ測位座標（ＷＧＳ８４）が移動局位置情報として採用されている。しかしながら、外部移動局監視システムＳＹ２では、その監視対象の移動局位置がＧＰＳ測位によるものとは限らない。従って、本実施態様では、監視連携装置１３に適切な変換アルゴリズムを内臓し、外部移動局１１による移動局位置情報をＧＰＳ測位による、本移動局監視システムＳＹ１の位置情報に座標変換する機能を外部連携装置１３に内蔵している。
【００４１】
さらに、各移動局監視システムＳＹ１，ＳＹ２は互いに独立して稼動しているので、それぞれが使用しているシステム時刻は互いに非同期である。従って、本実施態様の監視連携装置１は、外部移動局監視システムＳＹ２で監視する外部移動局１１の位置情報に含まれる時間情報を、本移動局監視システムＳＹ１で使用している時間情報にあわせ同期処理も行うよう構成されている。
【００４２】
図３は、上述した監視連携装置１３の具体的な動作を示したフローチャートである。
本実施態様では、外部移動局監視システムＳＹ２等からの情報の取り込みにはシリアル通信又は１００Ｂａｓｅ・Ｔ等のＬＡＮが用いられているが、必ずしもこれらの通信方式に限定されるものではなく、例えば、無線通信による情報の取り込みを行ってもよい。また、外部移動局監視システムＳＹ２等からの外部データ（移動局監視情報）には、位置データとその移動局名、位置データが同一の移動局であることを示す何らかの情報識別ＩＤ（外部システムで独自に割り当てた情報識別ＩＤ）と共に含まれており、この外部データが監視連携装置１３を介して受信される（Ｓ１）。
【００４３】
次に、受信した外部データ内の情報識別ＩＤが、移動局監視システムＳＹ１内に既に登録されている情報識別ＩＤであるかどうかを調べる（Ｓ２）。すでに登録されている場合は、当該外部移動局の位置情報を位置情報データベース６内に書き込み、最終書き込み時間を更新する（Ｓ８）。
【００４４】
一方、受信した外部データの情報識別ＩＤが登録されていなかった場合は、本移動局監視システムＳＹ１内で使用できるユニークな情報識別ＩＤを検索し（Ｓ３）、これらの情報識別ＩＤに空きかあるかどうか、すなわち未使用の情報識別ＩＤがあるかどうかを調べる（Ｓ４）。空きが無ければ、外部移動局監視システムＳＹ２に対してその旨通知して（Ｓ５）、本処理を終了する。一方、空きがあれば、当該未使用情報識別ＩＤを外部データ（外部移動局１１）に割り当て、割り当てられた情報識別ＩＤを用いて、外部移動局１１の移動局固定情報及び移動局表示情報を、固定情報データベース７および表示情報データベース８に登録する（Ｓ６）。さらに、本移動体監視システムＳＹ１内に新規移動局の追加を通知し（Ｓ７）、割り当てられた情報識別ＩＤを用いて、移動局位置情報を位置情報データベース６へ書き込み、さらに最終書き込み時間を所定記憶領域へ保存する（Ｓ８）。
なお、図２で、情報識別ＩＤ１、ＩＤ２を割り当てられた外部移動局の最終書き込み時間を記憶した状態が示されている。
【００４５】
ここで、ステップＳ８で更新された各外部移動局１１の最終書き込み時間から十分なある一定時間が過ぎても書き込み更新が無いと判断される場合、当該外部移動局１１に割り当てた情報識別ＩＤを他の外部移動局に開放する。
【００４６】
図４は、情報識別ＩＤが割り当てられた外部移動局１１に対して、最終書き込み時間を監視するループ処理（書き込み監視ループ）を示したフローチャートである。
図４から、書き込み監視ループが作動して、まず、一定時間毎に外部移動局に割り当てたＩＤがあるかどうかを調べる（Ｓ９）。ここで、例えば、ｎ個のＩＤが外部移動局１１に割り当てられていると判断される場合、すなわち、ＩＤ１乃至ＩＤｎ（ｎは１以上の整数）があると判断されれば、以下の最終書き込み時間のチェックを、割り当てたＩＤの数の分（ｎ）だけ、言い換えれば、ｎ個の全てのＩＤに対して行う（書き込み最終時間チェックループ）。例えば、割り当てられた各ＩＤ（ＩＤ１乃至ＩＤｎ）で、最初に、例えばＩＤ１を選択し、ＩＤ１に対してその最終書き込み時間が所定時間を超過したかどうかを判断する（Ｓ１０）。
ここで、ＩＤ１に対する最終書き込み時間が所定時間を超過していれば、当該ＩＤ１を開放し、他の外部移動局１１に対して利用可能にする（Ｓ１１）。さらに、次のＩＤ（例えば、ＩＤ２）に対して最終書き込み時間のチェックが行われる。
【００４７】
一方、ステップＳ１０でＩＤ１に対する最終書き込み時間が所定時間を経過していなければ、次のＩＤ（ＩＤ２）に対して最終書き込み時間チェックループを繰り返す。
以上の最終書き込み時間チェックループを割り当てたＩＤの数の分（ｎ回）繰り返し行う。
【００４８】
この書き込み最終時間チェックループが終了すると、書き込み監視ループを終了するかどうかが判断され、ループ処理の続行の場合は、当該書き込み監視ループのステップＳ９から処理を繰り返す。一方、書き込み監視ループを終了すると判断される場合は、当該ループ処理を終了する。なお、書き込み監視ループを終了するかどうかの判断は、管理者による手動もしくは自動的に（例えばシステムの休止に伴う電源オフ等）行われてもよい。
なお、上述した本実施態様が適応される移動局監視システムＳＹ１として、図１で示される無線移動局監視システム（特開平１１−３５５８５９号公報や特開２００２−１５２８０６号公報で開示される移動局監視システム）に限定されるものではなく、例えば、一つの基地局と複数個の移動局とからなるより単純な監視システムや、複数個の移動局、複数個の基地局、さらに、これらを管理する管制局（制御局）や主管制局を包含したより複雑な監視ネットワークシステムや、このような監視ネットワークシステムをさらに複数個包含するさらに複雑なにマルチネットワークシステムに対しても適用されることは言うまでもない。
【００４９】
また、上述の実施態様の移動局監視システムでは、基地局と移動局との無線通信にポーリング方式が採用されていたが、必ずしもポーリング方式の無線通信に限定されるものではない。さらに、基地局と移動局との無線通信をスペクトル拡散（ＳＳ）方式で行えば、ノイズ等が低減されて、より正確な位置情報の取得が可能となる。
また、本実施態様では、二つの移動局監視システムにおける監視動作の連携を行っていたが、３つ以上の移動局監視システムにおける監視動作の連携に対しても本実施態様が適用されることは言うまでもない。
【図面の簡単な説明】
【００５０】
【図１】本実施態様が適用される移動局監視システムの概念図である。
【図２】本実施態様の移動局監視システムで利用されるデータベース内に記録される移動局情報、特に移動局位置情報のデータ構造と、当該データベース内に記録された移動局情報を利用して、各移動局に備えられた表示装置に位置情報等を表示するまでの過程を示した図である。
【図３】本実施態様の監視ネットワークシステムに備えられた外部連携装置の具体的な動作を示したフローチャートである。
【図４】情報識別ＩＤが割り当てられた外部移動局に対して、最終書き込み時間を監視するループ処理（書き込み監視ループ）を示したフローチャートである。
【符号の説明】
【００５１】
１，２，３  基地局
４  管制局
５  移動局
６  位置情報データベース
７  固定情報データベース
８  表示情報データベース
９  表示装置
１０  電子地図データ
１１  航空機
１２  レーダー装置
１３  外部連携装置
１４  管制局
【図１】
0004703390.tif 000002
【図２】
0004703390.tif 000003
【図３】
0004703390.tif 000004
【図４】
0004703390.tif 000005